(57)【要約】【課題】開閉脚付きの掲示板を建築作業現場の短管足場等を利用して簡単に取り付けることのできる掲示板掛止金具用アタッチメントを提供する。【解決手段】掛止金具本体３には掲示板Ｋの上下端部が嵌合される掲示板嵌合部８ａが設けられると共に足場用パイプＰに固定されるパイプクランプ４が取り付けられた掲示板掛止金具２に対して適用されるもので、掲示板Ｋとその裏面側に開閉自在に設けられている開閉脚Ｌの各下端部が前後重複した状態で共に嵌合される嵌合用溝板２１を備え、この嵌合用溝板２１の底面には掛止金具本体３の掲示板嵌合部８ａに着座される着座部２２が設けられている。【選択図】　図１
0003099449.tif 000002
【実用新案登録請求の範囲】
【請求項１】
掛止金具本体の一端部前面側には掲示板の下端部または上端部が嵌合される断面略Ｕ字形の掲示板嵌合部が設けられ、また前記掛止金具本体の後面側には足場用パイプに固定されるパイプクランプが取り付けられてなる掲示板掛止金具に対して適用されるアタッチメントであって、
前記掲示板およびその裏面側に開閉自在に設けられている開閉脚の各下端部が重複した状態で共に嵌合される断面略Ｕ字形の嵌合用溝板を備えるとともに、この嵌合用溝板の底面には前記掛止金具本体の掲示板嵌合部に着座される着座部が設けられてなることを特徴とする掲示板掛止金具用アタッチメント。
【請求項２】
前記着座部は、前記掛止金具本体の掲示板嵌合部の左右方向両端面にそれぞれ当接する左右一対の位置規制用足部を備えることを特徴とする請求項１記載の掲示板掛止金具用アタッチメント。
【請求項３】
前記嵌合用溝板の後方側の側壁には前記掛止金具本体に挿入される位置決めガイド片が取り付けられていることを特徴とする請求項１または請求項２に記載の掲示板掛止金具用アタッチメント。
【考案の詳細な説明】
【０００１】
【考案の属する技術分野】
本考案は、開閉脚を備えた掲示板を路面以外の見易い場所に掲げて掛止する場合に使用される掲示板掛止金具用アタッチメントに関する。
【０００２】
【従来の技術】
一般に、例えば建築作業現場においては、安全スローガン、無災害労働時間記録表、現場配置図、作業スケジュール、作業主任者一覧などを表示した掲示板を掲示することが必要になる。
この場合、従来は、掲示板の裏面側に開閉脚を設け、この開閉脚を開いた状態で路面に設置したり、あるいは、このような開閉脚を設けずに、掲示板単体を直接に専用の支持用台枠に掛止することも行われている。
【０００３】
【考案が解決しようとする課題】
前者のように、掲示板に設けた開閉脚を開いて路面に設置する場合には、掲示を極めて簡便に行える利点があるが、作業現場の状況によっては適切な設置場所を確保することが難しく、また、風の強いときには倒れ易く、さらに通行の邪魔になることがある。そのような場合には、開閉脚付きの掲示板を路面以外の場所に掲げて掛止することが要求される。
【０００４】
一方、後者のように掲示板単体を専用の支持台枠を用いて掛止する方法は、台枠の製作費が高くつく上、現場作業が終了して掲示板を取り外した後、これを他の作業現場に搬送したり倉庫に保管する際に、その支持台枠が可成り大きく嵩張ることから、その搬送や保管に不便であった。
【０００５】
そこで、本出願人は、製作コストが安く、搬送や保管に便利で、建築作業現場の足場用パイプ等を利用して簡単に取り付けることのできる掲示板掛止用金具を既に提案している。
【０００６】
しかし、この掲示板掛止用金具は、開閉脚のない掲示板単体を掛止することを前提としているため、上記のように開閉脚付きの掲示板については、この金具のみを用いて作業現場の足場用パイプ等に適切に掛止することが難しかった。
【０００７】
本考案は、上記の課題に鑑み、製作コストが安く、搬送や保管に便利な掲示板掛止用金具を使用することを前提として、開閉脚付き掲示板を建築作業現場の足場用パイプ等に対して簡単に取り付けことができる掲示板掛止金具用アタッチメントを提供することを目的とする。
【０００８】
【課題を解決するための手段】
上記の目的を達成するために、本考案に係る掲示板掛止金具用アタッチメントは、掛止金具本体の一端部前面側には掲示板の下端部または上端部が嵌合される断面略Ｕ字形の掲示板嵌合部が設けられ、また前記掛止金具本体の後面側には足場用パイプに固定されるパイプクランプが取り付けられてなる掲示板掛止金具に対して適用されるものであって、前記掲示板およびその裏面側に開閉自在に設けられている開閉脚の各下端部が重複した状態で共に嵌合される断面略Ｕ字形の嵌合用溝板を備えるとともに、この嵌合用溝板の底面には前記掛止金具本体の掲示板嵌合部に着座される着座部が設けられてなることを特徴としている。
【０００９】
請求項２記載の考案に係る掲示板掛止金具用アタッチメントは、請求項１記載の考案の構成において、前記着座部は、前記掛止金具本体の掲示板嵌合部の左右方向両端面にそれぞれ当接する左右一対の位置規制用足部を備えることを特徴としている。
【００１０】
請求項３記載の考案に係る掲示板掛止金具用アタッチメントは、請求項１または請求項２に記載の考案の構成において、前記嵌合用溝板の後方側の側壁には前記掛止金具本体に挿入される位置決めガイド片が取り付けられていることを特徴としている。
【００１１】
【考案の実施の形態】
図１は掲示板掛止用金具に対して本考案の掲示板掛止金具用アタッチメント（以下、単にアタッチメントと称する）を適用する場合の状態を示す斜視図、図２は図１に示したアタッチメントのＸ−Ｘ線に沿う断面図である。また、図３は掲示板掛止用金具およびアタッチメントの使用状態を示す側面図、図４は掲示状態の掲示板を表側から見た斜視図、図５は同状態を掲示板の裏側から見た斜視図である。
【００１２】
この実施の形態において、本考案に係るアタッチメント１は、開閉脚付きの掲示板、すなわち、掲示板Ｋの裏面側に左右一対の開閉脚Ｌが開閉可能に枢着されているものを掛止する場合に掲示板掛止金具２と組み合わせて使用される。ここでは、先ず、掲示板掛止用金具２の構成について説明する。
【００１３】
掲示板掛止用金具２は、掛止金具本体３とパイプクランプ４とからなる。掛止金具本体３は、上下に延びる前後一対の平板５，６を有し、各平板５，６の長手方向の上下の両端部を板材７，８で、また各平板５，６の中間部を補強板９でそれぞれ一体に連結して構成されている。
【００１４】
そして、一方側の板材７は、後方へ突出してその後端部に足場用パイプＰに係合される円弧状係合部７ａが形成されている。また、他方側の板材８は、前方へ突出して、その前端部が直角上向きに屈曲されることで掲示板Ｋの下端部または上端部が嵌合される断面略Ｕ字形の掲示板嵌合部８ａが形成されている。さらに後方側の平板６の長手方向略中央部には、ボルト挿通孔１０が形成されるとともに、このボルト挿通孔１０と同心状にナット１１が溶接等で固着されている。
【００１５】
パイプクランプ４は、クランプ本体１４と、このクランプ本体１４に開閉自在に枢着された抱着体１５と、両者１４，１５を連結して足場用パイプＰをクランプするナット１６付きのクランプボルト１７とからなるもので、その構造は周知のものである。そして、クランプ本体１４側からボルト１８をナット１１に螺合してボルト挿通孔１０に挿通することで、パイプクランプ４のクランプ本体１４が掛止金具本体３の平板６に対して一体に連結されている。
【００１６】
一方、本考案に係るアタッチメント１は、断面略Ｕ字形の嵌合用溝板２１を備えるとともに、この嵌合用溝板２１の底面には掛止用金具本体３の掲示板嵌合部８ａに着座される着座部２２が設けられており、さらに、嵌合用溝板２１の後方側の側壁には掛止金具本体３の前方側平板５の下部に挿入される位置決めガイド片２３が取り付けられている。
【００１７】
上記の嵌合用溝板２１は、掲示板Ｋおよびこの掲示板Ｋに開閉自在に設けられている開閉脚Ｌの各下端部が前後に重複した状態で共に嵌合できるように、掛止金具本体３の掲示板嵌合部８ａよりも幅広でかつ左右方向により長尺に形成されている。また、着座部２２は、掛止金具本体３の掲示板嵌合部８ａの左右方向両端面にそれぞれ当接する左右一対の位置規制用足部２４，２５と、両位置規制用足部２４，２５間に懸架された補強部材２６とからなる。
【００１８】
次に、掲示板Ｋ単体を掛止する場合と、開閉脚Ｌ付きの掲示板Ｋを掛止する場合の各手順についてそれぞれ説明する。
【００１９】
まず、掲示板Ｋ単体を掛止するには、アタッチメント１は使用せずに、掲示板掛止用金具２のみを使用する。すなわち、作業現場に設置されている隣合う２本の足場用パイプＰに対して、足場用パイプＰごとに上下２つの掲示板掛止金具２を準備する。そして、上下に位置する各掛止金具本体３の掲示板嵌合部８ａが掲示板Ｋのほぼ高さ分だけ離間した状態で互いに向き合うように配置した上でパイプクランプ４によって掲示板掛止金具２を足場用パイプＰに固定する。
【００２０】
このパイプクランプ４による固定は、抱着体１５を開いた状態でクランプ本体１４を足場用パイプＰに係合させた後、抱着体１５を閉じてクランプボルト１７に螺合されているナット１６を締め付けることによって行う。その際、掛止金具本体２は、その円弧状係合部７ａが足場用パイプＰの外周面に係合した状態で足場用パイプＰと平行に延びた姿勢で保持される。
【００２１】
こうして左右２本の各々の足場用パイプＰに対して、その上下に掲示板掛止用金具２を互いに逆向きにして取り付けた後、掲示板Ｋの下端部および上端部をそれぞれ掲示板掛止金具２の掲示板嵌合部８ａに嵌合する。これにより、上下左右の４カ所の掲示板掛止金具２によって掲示板Ｋが掛止される。
【００２２】
一方、開閉脚Ｌ付きの掲示板Ｋを掛止するには、掲示板掛止金具２とアタッチメント１の双方を使用する。すなわち、まず、掲示板Ｋ単体を掛止する場合と同様に、作業現場に設置されている隣合う２本の足場用パイプＰについて、足場用パイプＰごとに上下２つの掲示板掛止金具２を準備し、各掛止金具本体３の掲示板嵌合部８ａが上下方向において互いに向き合うように配置した上でパイプクランプ４によって掲示板掛止金具２を足場用パイプＰに仮止め固定する。
【００２３】
次に、足場用パイプＰの下側に仮止め固定した左右の各掲示板掛止金具２に対し、その前方側平板５の下部にアタッチメント１の位置決めガイド片２３を挿入して位置決めした後、このアタッチメント１を下方にスライドさせてその着座部２２を掛止金具本体３の掲示板嵌合部８ａの上に着座させる。これにより、着座部２を構成する左右一対の位置規制用足部２４，２５が掲示板嵌合部８ａの長手方向両端面を挟むように位置するため、アタッチメント１が掛止金具本体３から位置ずれするのが防止される。
【００２４】
このように、掲示板掛止金具２の掛止金具本体３にアタッチメント１を取り付けると、一旦、パイプクランプ４によるクランプを緩めて上側の掲示板掛止金具２の掲示板嵌合部８ａと、下側のアタッチメント１の嵌合用溝板２１とが互いに掲示板Ｋのほぼ高さ分だけ離間した状態になるように調整した後、各々のパイプクランプ４を確実に本固定する。
【００２５】
こうして左右２本の各々の足場用パイプＰについて、足場用パイプＰの上側に掲示板掛止用金具２を、下側に掲示板掛止用金具２およびアタッチメント１を取り付けた後は、開閉脚Ｌが掲示板Ｋに重なるように閉じた状態にしてから、掲示板Ｋの上端部を上方位置にある掲示板掛止金具２の掲示板嵌合部８ａに嵌合し、また、掲示板Ｋおよび開閉脚Ｌの下端部をアタッチメント１の嵌合用溝板２１に嵌合する。これにより、上方の左右の掲示板掛止金具２および下方の左右のアタッチメント１によって開閉脚Ｌ付きの掲示板Ｋが掛止される。
【００２６】
このように、掲示板Ｋ単体を掛止する場合には掲示板掛止用金具２を足場用パイプＰに取り付ければよく、また、開閉脚Ｌ付きの掲示板Ｋを掛止する場合には、掲示板掛止金具２とアタッチメント１とを組み合わせて足場用パイプＰに取り付ければよい。したがって、いずれの場合も従来のような専用の支持用台枠は不要となり、低コスト化を図ることができる。また、掲示板Ｋを足場用パイプＰに掛止する必要のない場合や、他の場所に搬送する必要があるときには、掲示板掛止金具２やアタッチメント１を足場用パイプＰから取り外して分解することができる。このため、従来に比べて搬送や保管が便利である。
【００２７】
図６は他の構成を有する掲示板掛止用金具に対して本考案のアタッチメントを適用する場合の状態を示す斜視図、図７は掲示板掛止用金具とそのアタッチメントの使用状態を示す側面図で、同図（ａ）は掲示板単体を掛止した場合、同図（ｂ）は開閉脚付きの掲示板を掛止した場合をそれぞれ示している。
【００２８】
この例の掲示板掛止用金具２Ａは、掛止金具本体１２とパイプクランプ４とからなる。掛止金具本体１２は単一の板材を階段状に屈曲形成してなるもので、上下に延びる平板部１２ａの一方端は後方へ突出して足場用パイプＰに係合される円弧状係合部１２ｂが形成されるとともに、三角形の補強部材１３が介装されている。また、平板部１２ａの他方端は前方へ突出して、その前端部が直角上向きに屈曲されることで掲示板Ｋの下端部または上端部が嵌合される断面略Ｕ字形の掲示板嵌合部１２ｃが形成されている。さらに、平板部１２ａの長手方向中央部から掲示板嵌合部１２ｃ側へ寄った位置にはパイプクランプ４のクランプ本体１４が溶接によって固着されている。
【００２９】
この構成の掲示板掛止用金具２Ａを使用して掲示板Ｋ単体を掛止する場合の手順は、先に説明した実施の形態の場合と同様である。また、開閉脚Ｌ付きの掲示板Ｋを掛止する場合には、この掲示板掛止用金具２Ａに対して本考案のアタッチメント１がそのまま適用される。
【００３０】
すなわち、この掲示板掛止金具２Ａにアタッチメント１を取り付けるには、掛止金具本体１２の平板部１２ａの下部にアタッチメント１の位置決めガイド片２３を挿入して位置決めした後、このアタッチメント１の着座部２２を掲示板嵌合部１２ｃの上に着座させる。その他の取り付け手順についても上述した実施の形態の場合と同じであるため、詳しい説明は省略する。
【００３１】
【考案の効果】
本考案によれば、次の効果を奏する。
（１）請求項１記載の考案に係るアタッチメントは、掲示板掛止金具に適用することで開閉脚付きの掲示板に対しても路面以外の所定の場所に掲げて掛止することが可能になる。すなわち、掲示板掛止金具と組み合わせることにより、掲示板単体であっても開閉脚付きの掲示板であっても、いずれの場合も足場用パイプに掛止可能になるので適用範囲を広げることができる。また、従来のような専用の支持用台枠は不要で、低コストで実施できる。さらに、掲示板を足場用パイプに掛止する必要のない場合や、他の場所に搬送する必要があるときには、掲示板掛止金具やアタッチメントを足場用パイプから取り外して分解することができる。このため、搬送や保管が便利である。
【００３２】
（２）請求項２記載の考案に係るアタッチメントは、請求項１記載の考案の効果に加えて、その着座部を掛止金具本体の掲示板嵌合部に着座させた際に左右一対の位置規制用足部が掛止金具本体の掲示板嵌合部の長手方向両端面にそれぞれ当接するので、アタッチメントを板掛止金具本体に確実に位置決め固定することができ、また、開閉脚付き掲示板を装着する際にもアタッチメントが位置ずれすることがない。
【００３３】
（３）請求項３記載の考案に係るアタッチメントは、請求項１，２記載の考案の効果に加えて、アタッチメントを掲示板掛止金具に装着する際に位置決めガイド片がガイドの役目を果たすため、アタッチメントの装着操作を極めて簡単に行える。
【図面の簡単な説明】
【図１】本考案に係る実施の形態において、掲示板掛止用金具に対して掲示板掛止金具用アタッチメントを適用する場合の状態を示す斜視図である。
【図２】図１に示した同アタッチメントのＸ−Ｘ線に沿う断面図である。
【図３】図１における掲示板掛止用金具とそのアタッチメントの使用状態を示す側面図で、同図（ａ）は掲示板単体を掛止した状態、同図（ｂ）は開閉脚付きの掲示板を掛止した状態をそれぞれ示している。
【図４】図１における掲示状態の掲示板を表側から見た斜視図で、同図（ａ）は掲示板単体を掛止した場合、同図（ｂ）は開閉脚付きの掲示板を掛止した場合をそれぞれ示す。
【図５】図４に示す状態を掲示板の裏側から見た斜視図で、同図（ａ）は掲示板単体を掛止した場合、同図（ｂ）は開閉脚付きの掲示板を掛止した場合をそれぞれ示している。
【図６】他の構成を有する掲示板掛止用金具に対して本考案のアタッチメントを適用する場合の状態を示す斜視図である。
【図７】図６に示す掲示板掛止用金具とそのアタッチメントの使用状態を示す側面図で、同図（ａ）は掲示板単体を掛止した場合、同図（ｂ）は開閉脚付きの掲示板を掛止した場合をそれぞれ示している。
【符号の説明】
１　　掲示板掛止金具用アタッチメント
２，２Ａ　　掲示板掛止金具
３，１２　　止金具本体
４　　パイプクランプ
８ａ，１２ｃ　掲示板嵌合部
２１　　嵌合用溝板
２２　　着座部
２３　　位置決めガイド
２４，２５　　位置規制用足部
Ｐ　　足場用パイプ
Ｋ　　掲示板
Ｌ　　開閉脚
【図１】
0003099449.tif 000003
【図２】
0003099449.tif 000004
【図３】
0003099449.tif 000005
【図４】
0003099449.tif 000006
【図５】
0003099449.tif 000007
【図６】
0003099449.tif 000008
【図７】
0003099449.tif 000009